(57)【特許請求の範囲】
【請求項１】
半透膜を収容し、流通せしめられる血液を該半透膜を介して透析液に接触させることにより、かかる血液を浄化するようにした透析器と、該透析器に血液を供給する血液供給流路と、該透析器において透析、浄化された血液を患者の体内に戻すための血液返送流路と、該血液供給流路上に設けられた、血液を前記透析器に送出するための血液ポンプと、前記透析器に透析液を供給する透析液の供給流路と、前記透析器から透析液を排出せしめる透析液の排出流路と、それら供給流路及び排出流路上に設けられ、透析液の該供給流路における入口流量と該排出流路における出口流量とを同時に調節し、その差を体内よりの除水量と等しくする透析液の流入及び流出量調節機構とを含む血液浄化装置において、
前記透析液排出流路を通じての透析液の前記透析器からの排出量を、前記透析液供給流路を通じての透析液の前記透析器への供給量よりも相対的に小ならしめる透析液排出量低減手段と、
該透析液排出量低減手段の作動を制御し、その作動によって前記透析器内で前記半透膜を通じて透析液が血液側に導入されるようにする第一の制御装置と、
前記血液ポンプの作動を制御して、その血液送出量を制御する第二の制御装置と、
血液浄化中の患者の血圧降下の状態に応じて操作され、前記第一の制御装置を起動せしめると共に、前記第二の制御装置を起動せしめる起動手段と、
を設け、かかる血圧降下の状態に応じて、前記起動手段により前記第一の制御装置を起動せしめて、前記透析液排出量低減手段を作動させ、前記透析器からの透析液の排出量が、前記透析器への透析液の供給量よりも相対的に少なくなるようにすることによって、前記透析器内において、前記半透膜を通じて透析液が前記透析器において血液側に導入されるようにすると共に、前記起動手段による前記第二の制御装置の起動にて、前記血液ポンプの血液送出量を低下せしめることによって、前記透析器への血液の送出が抑制されるようにしたことを特徴とする血液浄化装置。
【請求項２】
前記第一の制御装置が、前記透析液排出量低減手段を一定時間の間だけ作動せしめることにより、該一定時間内に、前記透析器内の半透膜を通じて一定量の透析液が血液側に導入せしめられると共に、前記第二の制御装置が、前記血液ポンプの血液送出量を該一定時間と同じ時間だけ低下せしめるようになっている請求項１記載の血液浄化装置。
【請求項３】
前記透析液排出量低減手段が、前記透析液の流入及び流出量調節機構と前記透析器との間の前記排出流路部位に対して接続された流体の追加供給流路と、該流体追加供給流路上に設けられた流体追加供給ポンプとを含み、前記第一の制御装置によって制御される該流体追加供給ポンプの作動により、前記透析液の流入及び流出量調節機構による前記透析器からの透析液の排出量と該流体追加供給ポンプから供給される流体の量との差が、該透析液の流入及び流出量調節機構による前記透析器への透析液の供給量よりも少なくなるようになっている請求項１又は請求項２記載の血液浄化装置。
【請求項４】
前記透析液排出量低減手段が、前記透析液の流入及び流出量調節機構と前記透析器との間の前記透析液排出流路上に設けられた流路狭窄手段と、該流路狭窄手段と該透析液の流入及び流出量調節機構との間の排出流路部位に対して接続された不足流体吸引流路とを含み、該不足流体吸引流路が所定の流体供給源に接続されていると共に、該不足流体吸引流路上に、開閉バルブが設けられ、且つ該開閉バルブが前記第一の制御装置にて作動制御されるようになっている一方、前記流路狭窄手段の作動を前記第一の制御装置によって制御せしめるように為し、該流路狭窄手段の作動によって、前記排出流路を通じて排出される透析液量を低減せしめて、前記透析器からの透析液の排出量が、該透析器への透析液の供給量よりも少なくなるようにした請求項１又は請求項２記載の血液浄化装置。
【発明の詳細な説明】
【０００１】
【技術分野】
本発明は、血液浄化装置に係り、特に血液の透析（浄化）中における透析患者の血圧降下に対して、迅速に対処し得る血液浄化装置に関するものである。
【０００２】
【背景技術】
近年、腎不全の患者の治療や生命の維持等のために、血液を透析、浄化する装置、所謂人工腎臓が広く用いられるようになってきている。かかる装置には、函体内に中空繊維状のセルロース膜、キュプロアンモニウムレーヨン膜、ポリアクリロニトリル膜等の半透膜を収容した浄化器としての透析器（ダイヤライザー）が用いられ、これによって、例えば血液透析操作の場合には、該半透膜を介して血液と透析液を接触せしめることにより、患者の血液中に蓄積した尿素、尿酸、水等を透析、除去せしめて、正常に近い溶質濃度の血液と為し、これを再び患者の体内に戻すようにされるのである。
【０００３】
ところで、上述の如き血液の浄化操作は、一般に、透析センター等において多数の患者に対して同時的に実施されることとなるが、その際、そのような血液の浄化中に、何等かの原因により患者の血圧が急激に降下する現象が現れ、その際には、患者の生命を守る上からして、適切な処置を早急に行ない、血圧の上昇を図ることが要請される。
【０００４】
このため、従来にあっては、そのような血圧降下に直ちに対応し得るように、点滴装置を予め準備しておき、患者の血圧が降下したことを知ったときに、医師や看護婦が駆け付けて、そのような点滴装置を患者に取り付け、それから患者の血管内に点滴液を注入し得るようになっているが、そのような点滴の実施の準備のためには、熟練者である医師や看護婦と言えども、ある程度の時間を要するものであるところから、そのような血圧降下に対して迅速に対処するには、血液浄化乃至は透析中の患者の状態、特に血圧降下の状態を迅速に把握し、それによって適切に対処することが必要とされているのであるが、特に、透析センター等において多数の患者に透析を施す場合にあっては、それら多数の患者の状態を頻繁にチェックするための人手が必要とされ、これが、透析センター等において大きな負担となっているのである。
【０００５】
【解決課題】
ここにおいて、本発明は、かかる事情を背景にして為されたものであって、その解決課題とするところは、血液透析中に発生する血圧降下に対して、従来の如き点滴装置を用いた点滴作業を行なうことなく、迅速に対処し得る血液浄化装置を提供することにある。
【０００６】
【解決手段】
そして、そのような課題を解決するために、本発明にあっては、半透膜を収容し、流通せしめられる血液を該半透膜を介して透析液に接触させることにより、かかる血液を浄化するようにした透析器と、該透析器に血液を供給する血液供給流路と、該透析器において透析、浄化された血液を患者の体内に戻すための血液返送流路と、該血液供給流路上に設けられた、血液を透析器に送出するための血液ポンプと、該透析器に透析液を供給する透析液の供給流路と、該透析器から透析液を排除せしめる透析液の排出流路と、それら供給流路及び排出流路上に設けられ、透析液の該供給流路における入口流量と該排出流路における出口流量とを同時に調節し、その差を体内よりの除水量と等しくする透析液の流入及び流出量調節機構とを含む血液浄化装置において、（ａ）前記排出流路を通じての透析液の前記透析器からの排出量を、前記供給流路を通じての透析液の前記透析器への供給量よりも相対的に小ならしめる透析液排出量低減手段と、（ｂ）該透析液排出量低減手段の作動を制御し、その作動によって前記透析器内で前記半透膜を通じて透析液が血液側に導入されるようにする第一の制御装置と、（ｃ）前記血液ポンプを停止せしめ、或いは該血液ポンプの血液送出量を低下せしめることによって、該血液ポンプの血液送出量を制御する第二の制御装置と、（ｄ）血液浄化中の患者の血圧降下の状態に応じて操作され、前記第一の制御装置を起動せしめると共に、前記第二の制御装置を起動せしめる起動手段とを設け、かかる血圧降下の状態に応じて、前記起動手段により前記第一の制御装置を起動せしめて、前記透析液排出量低減手段を作動させ、前記透析器からの透析液の排出量が、前記透析器への透析液の供給量よりも相対的に少なくなるようにすることによって、前記透析器内において、前記半透膜を通じて透析液が血液側に導入されるようにすると共に、前記の起動手段による前記第二の制御装置の起動にて、前記血液ポンプの作動を停止せしめ、或いは前記血液ポンプの血液送出量を低下せしめることによって、前記透析器への血液の送出が停止乃至は抑制されるようにしたことを特徴とする血液浄化装置を、その要旨とするものである。
【０００７】
すなわち、このような本発明に従う血液浄化装置にあっては、血液の透析・浄化中における血圧降下の際に操作される起動手段にて、第一の制御装置を起動せしめ、そして該第一の制御装置にて制御される透析液排出量低減手段を作動せしめることによって、透析器からの透析液の排出量が、そのような透析器への透析液の供給量よりも少なくなるようにすることにより、かかる透析器内において、半透膜を通じて、血液側へ透析液を効果的に導入し、これと共に、該起動手段にて第二の制御装置をも起動せしめ、そして前記血液ポンプの作動を停止せしめ、或いは前記血液ポンプの血液送出量を低下せしめることにより、透析器への血液の送出を停止し、或いは透析器に送出される血液量を減少させて、透析器において血液側へ透析液を導くと同時に、透析器から患者の体内に送出される液体量を適正な量に制御することが出来るのであり、これによって、そのような導入される透析液が点滴液として機能し、透析器から体内に送出される液体量の著しい増大によって患者の血管を損傷することなく、患者の血圧を効果的に上昇せしめ得ることとなるのである。
【０００８】
なお、かかる本発明に従う血液浄化装置の好ましい態様の一つによれば、前記第一の制御装置及び前記第二の制御装置は、前記透析液排出量低減手段を一定時間だけ作動せしめ、また前記血液ポンプの作動を一定時間だけ制御して、前記透析器内の半透膜を通じて一定量の透析液が血液側に導入せしめられるようにすると共に、透析器への血液の送出が該一定時間と同じ時間だけ停止し、或いは透析器に流入する血液量が該一定時間と同じ時間だけ減少せしめられるようになっており、これによって、所定の起動手段によるそれらの制御装置の起動にて、一定量の透析液が透析器において血液側に導入せしめられると共に、透析器からの患者の体内に返送される液体量を適正な量に保てることとなるのであり、以て患者の血管を損傷することなく、一定の血圧上昇効果を得ることが出来、また、起動手段によるこれらの制御装置の更なる起動によって、更なる血圧上昇作用を発揮せしめることも可能となるのである。
【０００９】
また、本発明にあっては、好ましくは、前記透析液排出量低減手段は、前記透析液の流入及び流出量調節機構と前記透析器との間の前記排出流路部位に対して接続された流体の追加供給流路と、該追加供給流路上に設けられた流体追加供給ポンプとを含み、前記第一の制御装置によって制御される該流体追加供給ポンプの作動により、前記透析液の流入及び流出量調節機構による前記透析器からの透析液の排出量と該流体追加供給ポンプからの流体追加供給量との差が、該透析液の流入及び流出量調節機構による前記透析器への透析液の供給量よりも少なくなるようになっている構成が、有利に採用される。
【００１０】
さらに、本発明の望ましい他の態様によれば、前記透析液排出量低減手段は、前記透析液の流入及び流出量調節機構と前記透析器との間の前記透析液排出流路上に設けられた流路狭窄手段と、該流路狭窄手段と該透析液の流入及び流出量調節機構との間の排出流路部位に対して接続された不足流体吸引流路とを含み、前記第一の制御装置によって制御される該流路狭窄手段の作動によって、前記排出流路を通じて排出される透析液量を低減せしめて、前記透析器からの透析液の排出量が、該透析器への透析液の供給量よりも少なくなるようにした構成が採用されることとなる。
【００１１】
なお、上記した不足流体吸引流路は、一般に、所定の流体供給源に接続されている一方、該不足流体吸引流路上には、開閉バルブが設けられ、前記第一の制御装置にて作動制御されるようになっており、そして、そのような開閉バルブは、前記透析液排出量低減手段が作動しているときには開となり、前記透析液排出量低減手段が作動していないときには閉となっている。また、不足流体吸引流路の流体供給源は、有利には、透析液供給源であることが望ましいのである。
【００１２】
【発明の実施の形態】
以下に、本発明をより具体的に明らかにするために、本発明に係る血液浄化装置の代表的な具体例について、図面に基づいて詳細に説明することとする。
【００１３】
先ず、図１は、本発明に係る血液浄化装置の一例を示す系統図であって、そこにおいて、１０は、透析器（ダイアライザー）であって、従来と同様な構造を有しており、円筒形状の函体内部に中空繊維状の半透膜が収容されている。そして、かかる透析器１０の軸方向の一端側には、患者の体内から血液を導くための血液供給流路１２が接続され、また他端側には、透析器１０において透析、浄化された血液を患者の体内に戻すための血液返送流路１４が接続されている。このように、ここでは、血液供給流路１２と血液返送流路１４によって、血液流路が構成されている一方、血液供給流路１２上には、血液ポンプ１６が設けられ、この血液ポンプ１６の作動によって、血液流路や透析器１０内に、血液が流通せしめられるようになっている。
【００１４】
また、透析器１０には、透析液を、その貯槽（図示せず）より該透析器１０内に導くための透析液供給流路１８が接続されており、更に、該透析器１０において半透膜を介して血液に接触せしめられた透析液を排出するための透析液排出流路２０が設けられている。なお、ここでは、それら透析液供給流路１８と透析液排出流路２０とによって、透析液流路が構成されているのである。
【００１５】
さらに、かかる透析液供給流路１８と透析液排出流路２０の流路上には、透析液の供給量と排出量を調節する公知の透析液流入及び流出量調節機構２２が設けられており、かかる調節機構２２によって、透析器１０からの該調節機構２２を介しての透析液排出流量と該透析器１０への透析液の供給流量とが調節されて、その差が体内からの除水量となるように、設定されている。なお、かかる透析液流入及び排出量調節機構２２は、従来から透析装置に付属する装置としてよく知られているものであって、原理的には、供給流路１８上に配置された流入ポンプ機構と、排出流路２０上に配置された排出ポンプ機構と、それら二つのポンプ機構を制御する制御装置とを含むものであって、例えば、市販されているウルトラフィルトレーション・コントローラー（東レ：ＵＦＣII）等を用いることが出来る。
【００１６】
そして、そのような透析液排出流路２０における透析器１０と前記調節機構２２との間の部位に対して、流体の追加供給流路２４が接続されていると共に、この追加供給流路２４上に、流体追加供給ポンプ２６が設けられ、この流体追加供給ポンプ２６の作動によって、図示しない透析液の貯槽から透析液を追加供給流路２４を通じて導き、そして、その一定量が透析液排出流路２０内に導かれ、前記調節機構２２による透析液の排出量から流体追加供給ポンプ２６の吐出量を差し引いた量の透析液が透析器１０内から排出されるようになっている。従って、ここでは、流体の追加供給流路２４と流体の追加供給ポンプ２６にて、透析液排出量低減手段が構成されるようになっている。
【００１７】
しかも、かかる流体追加供給ポンプ２６は、第一の制御装置２８によって、その作動が制御されるようになっており、更にかかる制御装置２８が、起動手段たる起動ボタン３０のプッシュ操作によって、起動せしめられ得るようになっているのである。
【００１８】
一方、血液ポンプ１６は、第二の制御装置２９によって、その作動が停止するようになっている。即ち、かかる第二の制御装置２９が、起動手段たる起動ボタン３０のプッシュ操作によって起動せしめられ、以て血液ポンプ１６が作動停止せしめられるようになっているのである。
【００１９】
従って、血液透析を受けている患者において、その血圧降下が確認された場合において、医師や看護婦等によって、起動ボタン３０が押されることにより、透析液排出量低減手段を作動制御する第一の制御装置２８が起動せしめられ、そして流体追加供給ポンプ２６が作動せしめられることによって、図示しない貯槽から、補充液の所定量が追加供給流路２４を通じて透析液排出流路２０に導かれ、調節機構２２から排出される透析液量と補充液追加供給量の差に相当する量の透析液が透析器１０から排出せしめられ、かかる透析器１０からの透析液排出量が、透析液供給流路１８を通じての調節機構２２による透析液供給量よりも小ならしめられることとなるのであり、これによって、透析器１０内において、半透膜を通じて、透析液が血液側に導入されるのである。一方、起動ボタン３０が押されると、第一の制御装置２８と共に、血液ポンプ１６における血液送出量を制御する第二の制御装置２９が起動せしめられ、これにより血液ポンプ１６の作動が停止せしめられ、透析器１０への血液の送出が停止される。その結果、透析液が、透析器１０において、半透膜を通じて血液側流路に導入されても、体内に返送される液体の量は、血液ポンプ１６が送出していた血液量の分だけ、その増大が抑制されるのである。
【００２０】
しかも、ここでは、流体追加供給ポンプ２６は、透析液排出量低減手段の作動制御を行なう第一の制御装置２８によって、一定時間の間（例えば、３０秒間）だけ作動せしめられて、一定量の透析液の追加、換言すれば透析器１０からの透析液排出量の一定量の減少によって、かかる透析器１０内の半透膜を通じて一定量（例えば、１００ｍＬ）の透析液が血液側流路に導入せしめられるようになっているのであり、そして、そのような一定量の透析液の血液側流路への導入によって、血液透析を受けている患者における血圧の上昇が効果的に実現され得ることとなるのであり、以て患者の血圧降下の回復が有効に為され得るのであるが、また、そのような透析液の一度の導入操作のみでは、血圧の上昇効果が充分に達成され難い場合には、更に、起動ボタン３０を操作し、透析液排出量低減手段を作動制御する第一の制御装置２８を起動させて、流体追加供給ポンプ２６を作動せしめるようにすれば、更に一定量の透析液を血液中に導入することが出来、血圧の更なる上昇作用を発揮せしめることが可能となるのである。
【００２１】
また、図２は、本発明に従う血液浄化装置の具体的な他の一例を示す系統図であって、そこでは、透析液排出量低減手段として、図１とは異なる構成のものが採用されている。
【００２２】
すなわち、かかる図２の例においては、透析液排出量低減手段が、透析液の排出流路２０に対して設けられているのであり、そこでは、それは、透析器１０と調節機構２２との間の排出流路２０上に設けられた、流路狭窄手段としての排出量規制バルブ３２と、そのような排出量規制バルブ３２と調節機構２２との間の排出流路２０部位に対して接続された、不足流体吸引流路３４とを含んで、構成されている。
【００２３】
なお、そのような透析液排出量低減手段を構成する排出量規制バルブ３２は、排出流路２０の透析液通路を狭窄し、透析液の流通を遮断乃至は抑制して、調節機構２２の作動にも拘わらず、透析器１０から排出流路２０を通じて排出せしめられる透析液の排出量を低減せしめるものであり、また、不足流体吸引流路３４は、図示しない透析液の貯槽に接続されており、調節機構２２の作動によって、一定量の透析液が排出せしめられるようになっているにも拘わらず、排出量規制バルブ３２による透析液の排出量の低減によって、その低減された量だけ不足流体吸引通路３４を通じて透析液が吸引されて、調節機構２２に導かれ、以て調節機構２２では所定の透析液排出量に見合う量の流体が排出されるように構成されている。また、そのような不足流体吸引流路３４上には、不足流体吸引流路３４を開閉させる開閉バルブ３６が設けられており、排出量規制バルブ３２が作動していないときには、この開閉バルブ３６によって、不足流体吸引流路３４が遮断されるようになっている。
【００２４】
すなわち、排出量規制バルブ３２と開閉バルブ３６は、共に、透析液排出量低減手段を作動制御する第一の制御装置２８によって制御されており、排出量規制バルブ３２が通路を狭窄させる方向に作動せしめられるときには、開閉バルブ３６は開となり、またそれとは逆に、排出量規制バルブ３２が通路を完全に解放させる方向に作動せしめられるときには、開閉バルブ３６は閉となる。また、第一の制御装置２８は、図１の例と同様に、起動手段としての起動ボタン３０のプッシュ操作によって起動せしめられ、一定時間だけ、排出量規制バルブ３２と開閉バルブ３６を作動せしめるようになっている。更にまた、図１の例と同様に、起動ボタン３０が押されると、第一の制御装置２８と共に、血液ポンプ１６の血液送出量を作動制御する第二の制御装置２９が起動せしめられ、これにより血液ポンプ１６の作動が停止せしめられ、透析器１０への血液の送出が停止される。その結果、透析液が透析器１０において、半透膜を通じて血液流路側に導入されても、体内に返送される液体の量は、血液ポンプ１６が送出していた血液量の分だけ、その増大が抑制されるのである。
【００２５】
従って、このような構成の血液浄化装置において、第一の制御装置２８にて排出量規制バルブ３２を作動せしめ、透析器１０から排出される透析液の排出量を制限して、透析液供給流路１８を通じて透析器１０に供給される透析液量よりも少なくなるようにすることにより、透析器１０内においては、半透膜を通じて血液側流路に、それらの差分の透析液量が導入されることとなるのであり、そしてそれによって、患者の血圧上昇が効果的に為され得ることとなる一方、調節機構２２は、常に一定量の透析液が排出流路２０を通じて排出せしめられるように作動するものであるところから、排出量規制バルブ３２によって透析器１０から排出される透析液の排出量が低減せしめられた分だけ、第一の制御装置２８にて開閉バルブ３６が開口せしめられているために、不足流体吸引流路３４を通じて、必要量の液体がその貯槽から吸引されて、排出流路２０内に導かれ、そして調節機構２２を通じて系外に排出せしめられることとなるのである。
【００２６】
なお、この図２に例示の装置においては、不足流体吸引流路３４が、透析液の貯槽に接続されて、透析液が吸引され、排出流路２０内に導き入れられるようになっており、これによって、何等特別の液体を準備する必要もなく、また調節機構２２の内部機構に対する影響も全く顧慮する必要もない等の利点を生じているが、また、水等の他の適当な液体の供給源に接続して、不足流体吸引流路３４を通じて排出流路２０内に、そのような液体が供給されるようにすることも可能であり、更には、空気等の他の流体が吸引されるようにすることも可能である。
【００２７】
このように、図１や図２に示される装置においては、排出流路２０を通じての透析液の透析器１０からの排出量が、所定の透析液排出量低減手段（２４、２６；３２、３４・・・）によって、供給流路１８を通じての透析液の透析器１０への供給量よりも相対的に小ならしめられ、以て、透析器１０内において半透膜を通じて血液側流路に所定量の透析液が導入されると共に、第二の制御装置（２９）によって血液ポンプ１６の作動が停止せしめられ、以て透析器１０への血液の送出が停止せしめられるようにされることとなる。その結果、透析器１０において、半透膜を通じて血液流路側に導入された透析液のみが、患者の体内に持ち込まれることになり、そのような患者の血圧の上昇が効果的に図られ得るのである。このような透析器１０における血液側流路への透析液導入機構は、透析中における患者の血圧降下の状態に応じて、直ちに、作動せしめられ得るものであって、従来の如き点滴操作のための点滴装置の準備のための手間や時間等が全く必要でなくなったのであり、これにより、血圧降下に対して迅速に且つ極めて簡単に対処し得ることとなったのである。
【００２８】
すなわち、上記の何れの例においても、血液透析中の患者の血圧降下の状態が、患者の容体の変化や定期的乃至は経時的な血圧測定等によって把握されて、その状態に応じて、血圧上昇操作が必要とされると、医師や看護婦等によって起動ボタン３０が操作されるだけで、透析液排出量低減手段を作動制御する第一の制御装置２８と血液ポンプ１６の血液送出量を制御する第二の制御装置２９とが起動され、そして、透析液排出量低減手段を構成する流体追加供給ポンプ２６や透析液の排出量を規制するバルブ３２が作動せしめられ、且つ血液ポンプ１６が停止せしめられて、目的とする量の透析液が透析器１０において血液側流路に導入されて、以て血圧降下に対して有効に対処し得ることとなるのである。
【００２９】
以上、本発明に係る血液浄化装置の代表的な具体例について詳細に説明してきたが、本発明が、そのような例示の具体例についての記載によって、何等の制約をも受けるものでないことは言うまでもないところである。また、本発明には、上記の具体例の他にも、本発明の趣旨を逸脱しない限りにおいて、当業者の知識に基づいて種々なる変更、修正、改良等を加え得るものであることが、理解されるべきである。
【００３０】
例えば、上記の具体例においては、何れも、起動ボタン３０のプッシュ操作によって、流体追加供給ポンプ２６や排出量規制バルブ３２が一定時間の間だけ作動せしめられ、且つ血液ポンプ１６が停止せしめられて、一定量の透析液が透析器１０内の半透膜を通じて、一定時間に押し込まれるようになっており、これによって、作業性が著しく高められているが、その作動時間や透析液の押込み量は適宜に設定され得るものである。なお、ここでは、第二の制御装置２９の起動によって、血液ポンプ１６が停止するように制御されているが、また、その血液送出量が低減せしめられるようにすることも可能であることは言うまでもないところである。
【００３１】
また、透析液排出流路の狭窄手段としては、例示の排出量規制バルブに限られるものではなく、流路における透析液通路等の流体通路を狭窄し、透析液等の流体の流通を遮断し或いはその流通量を低減せしめ得るものであれば、公知の如何なる構造のものであっても、同様に使用可能である。
【００３２】
さらに、例示の具体例にあっては、透析液排出量低減手段や血液ポンプの血液送出量を制御する制御装置は、２つの独立した装置（２８、２９）とされているが、一つの装置において制御するようにすることも可能であり、更にまた、起動手段としても、一つの起動ボタン３０を用いるのみならず、連動する二つの起動装置にて起動手段を構成することも可能であり、また構造的には、例示の起動ボタン３０が尤も一般的であり、取扱いが容易である等の利点があるが、その他、公知の各種のスイッチ類等も、適宜に選択、使用されることとなる。
【００３３】
【発明の効果】
以上の説明から明らかなように、本発明に従う血液浄化装置にあっては、血液透析／浄化中の患者の血圧降下の状態に応じて、起動手段を操作して、所定の制御装置を起動せしめ、そしてそれによって、透析液排出量低減手段を作動せしめる一方、血液ポンプの作動を制御せしめることにより、透析器内の半透膜を通じて所定量の透析液が血液中に導入せしめられ、以て患者の体内に導き入れられ、結果として患者の血圧が上昇せしめられ得るようになっているところから、従来の如き、血圧上昇のための点滴操作が全く不要となったのであり、その結果として、点滴装置の準備も全く必要でなくなった他、血圧降下に対する対処（血圧上昇操作）が迅速に為され得、以て多数の患者に対する透析・浄化操作の同時的な実施が極めて容易に為され得るのであり、、また、そのような透析・浄化操作に要する人数も、有利に低減せしめ得ることとなったのである。
【図面の簡単な説明】
【図１】本発明に係る血液浄化装置の一例を示す系統図である。
【図２】本発明に係る血液浄化装置の他の一例を示す系統図である。
【符号の説明】
１０    透析器
１２    血液供給流路            １４    血液返送流路
１６    血液ポンプ              １８    透析液供給流路
２０    透析液排出流路          ２２    透析液流入及び流出量調節機構
２４    流体追加供給流路        ２６    流体追加供給ポンプ
２８    第一の制御装置          ２９    第二の制御装置
３０    起動ボタン              ３２    排出量規制バルブ
３４    不足流体吸引流路        ３６    開閉バルブ
【図１】
0003664901.tif 000002
【図２】
0003664901.tif 000003